(57)【要約】【課題】引掛爪の係合爪との係合部分が削れることはなく開閉寿命を長くすることができ、落下などの強い衝撃に耐えることができ、引掛爪が破損した場合でも容易にかつ低コストで修理することができる携帯情報端末装置を提供する。【解決手段】稜部にメモリーカード等の情報記録媒体８を挿入する開口部３ａを有するケース３と、開口部３ａを覆うとともに開閉可能に保持されたカバー２０と、カバー２０の内側に設けられた引掛爪１６と、ケース３の開口部３ａの内側に設けられ引掛爪１６と係合してカバー２０を閉状態に維持する係合爪１２と、ケース３に対してカバー２０を開閉可能に保持するヒンジ１５とを備え、引掛爪１６が、ケース３及びカバー２０より弾性を有するエラストマからなる。【選択図】  図１
2004171399.tif 000002
【特許請求の範囲】
【請求項１】
稜部にメモリーカード等の情報記録媒体を挿入する開口部を有するケースと、前記開口部を覆うとともに開閉可能に保持されたカバーと、前記カバーの内側に設けられた引掛爪と、前記ケースの前記開口部の内側に設けられ前記引掛爪と係合して前記カバーを閉状態に維持する係合爪と、前記ケースに対して前記カバーを開閉可能に保持するヒンジとを備え、前記引掛爪が、前記ケース及び前記カバーより弾性を有するエラストマからなると共に、前記カバーに着脱自在に設けられたことを特徴とする携帯情報端末装置。
【請求項２】
稜部にメモリーカード等の情報記録媒体を挿入する開口部を有するケースと、前記開口部を覆うとともに開閉可能に保持されたカバーと、前記カバーの内側に設けられた引掛爪と、前記ケースの前記開口部の内側に設けられ前記引掛爪と係合して前記カバーを閉状態に維持する係合爪と、前記ケースに対して前記カバーを開閉可能に保持するヒンジとを備え、前記ヒンジが、前記ケース及び前記カバーより弾性を有するエラストマからなると共に、前記ケースと前記カバーとを着脱自在に連結することを特徴とする携帯情報端末装置。
【請求項３】
前記カバーの内壁側面から突出する突起であるストッパーと、前記カバーの開口部の側面から突出する突起であるストッパー受けを備え、前記カバーが前記開口部を塞いだ状態で、前記ストッパーと前記ストッパー受けとが当接し、前記カバーの摺動を防止することを特徴とする請求項１又は請求項２記載の携帯情報端末装置。
【請求項４】
前記ヒンジは、略長方形の板材であり、長手方向の一端が前記カバーの内側に保持されると共に、他端が前記ケースの開口部の内側に摺動可能に保持されていることを特徴とする請求項１〜請求項３のいずれかに記載の携帯情報端末装置。
【請求項５】
前記ヒンジは、先端が略矢形であり、前記矢形部分に三角形状で頂点を互いに向けあう２つのスリットを備え、前記矢形部分が前記ケース又は前記カバーに設けられた門状のリブに挿嵌・係止されることを特徴とする請求項１〜請求項４のいずれかに記載の携帯情報端末装置。
【請求項６】
前記引掛爪は、前記カバーの内壁から前記ケース方向に略直方体状に突出する突出部を備え、前記突出部の前記内壁側の角部がコーナー部となると共に、前記ケースの内側の角部を切り欠いた案内面を有し、前記コーナー部及び前記案内面を前記係合爪に設けられた溝部に沿わせつつ、前記突出部を前記係合爪に挿抜することを特徴とする請求項１〜請求項５のいずれかに記載の携帯情報端末装置。
【請求項７】
前記携帯情報端末装置は、表示部を含む表示部側ケースと、操作部を含む操作部側ケースと、前記表示部側ケースを前記操作部側ケースに対して扇動・回転自在に連結する回転軸とを備え、前記表示器側ケースを前記操作部側ケースの正面側に配設すると共に、前記カバーを前記操作部側ケースの背面側に配設することを特徴とする請求項１〜請求項６のいずれかに記載の携帯情報端末装置。
【発明の詳細な説明】
【０００１】
【発明の属する技術分野】
本発明は、カバーを有する携帯情報端末装置のカバーの開閉と係合機構に関するものである。
【０００２】
【従来の技術】
従来のカバーを有する携帯情報端末装置は、例えば図７の従来のカバーを有する携帯情報端末装置の構成を示す要部断面図に示すように、ケース１０２と、ケース１０２に設けられた開口部を開閉自在に塞ぐカバー１０３と、カバー１０３の内側に設けられた引掛爪１０４と、引掛爪１０４を係止してカバー１０３を閉状態に維持する係合爪１０２ａと、カバー１０３を開ける際に押すボタン１１１と、カバー１０３を開ける際にカバー１０３を押し出すゴム１１２を備える（例えば、特許文献１参照。）。
【０００３】
この携帯情報端末装置１０１のカバー１０３が閉じた状態からボタン１１１を押すと、ボタン１１１によって押されたゴム１１２が、弾性力により変形して係合している引掛爪１０４を押し上げる。これにより、引掛爪１０４と係合爪１０２ａとの係合がはずれてカバー１０３を開けることができる。
【０００４】
【特許文献１】
特開２００１−２９８２８２号公報（第２−３頁、第５図）
【０００５】
【発明が解決しようとする課題】
しかしながら、従来のカバーを有する携帯情報端末装置は、引掛爪、係合爪ともに樹脂や金属など硬質な材質からなるため、開閉回数を増すに連れて引掛爪の係合爪との係合部分が削れ、係合強度が弱くなり、開閉寿命が短くなるという問題があった。
【０００６】
また、落下などの強い衝撃が加わった際、引掛爪が破損し易く、また、引掛爪はケースの外観の一部を兼ねたカバーと一体で形成されているため、破損したカバーを修理するためにカバーごと交換しなくてはならないという問題があった。
【０００７】
本発明は、かかる点に鑑みてなされたものであり、引掛爪の係合爪との係合部分が削れることはなく開閉寿命を長くすることができ、落下などの強い衝撃に耐えることができ、引掛爪が破損した場合でも容易にかつ低コストで修理することができる携帯情報端末装置を提供することを目的とする。
【０００８】
【課題を解決するための手段】
本発明の携帯情報端末装置は、稜部にメモリーカード等の情報記録媒体を挿入する開口部を有するケースと、開口部を覆うとともに開閉可能に保持されたカバーと、カバーの内側に設けられた引掛爪と、ケースの開口部の内側に設けられ引掛爪と係合してカバーを閉状態に維持する係合爪と、ケースに対してカバーを開閉可能に保持するヒンジとを備え、引掛爪が、ケース及びカバーより弾性を有するエラストマからなる構成を有している。尚、エラストマとは、高温で可塑化され成形される高分子材料で、常温で弾性（弾力性）を示し、高摩擦抵抗を有し、耐熱性、絶縁性に優れているものである。
この構成により、引掛爪はエラストマからなるため、削れにくく開閉寿命を延ばすことができ、また、落下などで強い衝撃が加わっても折れることはなく、破損した場合でも容易に交換できる。
【０００９】
また、本発明の携帯情報端末装置は、稜部にメモリーカード等の情報記録媒体を挿入する開口部を有するケースと、開口部を覆うとともに開閉可能に保持されたカバーと、カバーの内側に設けられた引掛爪と、ケースの開口部の内側に設けられ引掛爪と係合してカバーを閉状態に維持する係合爪と、ケースに対してカバーを開閉可能に保持するヒンジとを備え、ヒンジが、ケース及びカバーより弾性を有するエラストマからなると共に、ケースとカバーとを着脱自在に連結する構成を有している。尚、エラストマとは、高温で可塑化され成形される高分子材料で、常温で弾性（弾力性）を示し、高摩擦抵抗を有し、耐熱性、絶縁性に優れているものである。
この構成により、ヒンジはエラストマからなるため、削れにくく開閉寿命を延ばすことができ、また、落下などで強い衝撃が加わっても折れることはなく、破損した場合でも容易に交換できる。
【００１０】
さらに、本発明の携帯情報端末装置は、カバーの内壁側面から突出する突起であるストッパーと、カバーの開口部の側面から突出する突起であるストッパー受けを備え、カバーが開口部を塞いだ状態で、ストッパーとストッパー受けとが当接し、カバーの摺動を防止する構成を有している。
この構成により、落下などでカバーに強い衝撃が加わってもカバーが摺動しないことから、引掛爪やヒンジの破損を防止できる。
【００１１】
さらに、本発明の携帯情報端末装置は、ヒンジが、略長方形の板材であり、長手方向の一端がカバーの内側に保持されると共に、他端がケースの開口部の内側に摺動可能に保持される構成を有している。
この構成により、カバーを開いた状態でヒンジが摺動して、カバーを開口部から引き離した状態で開口部を開放することができる。
【００１２】
さらに、本発明の携帯情報端末装置は、ヒンジが、先端が略矢形であり、矢形部分に三角形状で頂点を互いに向けあう２つのスリットを備え、矢形部分がケース又はカバーに設けられた門状のリブに挿嵌・係止される構成を有している。
この構成により、２つのスリットが、矢形部分の変形する凹み代となり、リブへの挿嵌を容易にすることができる。
【００１３】
さらに、本発明の携帯情報端末装置は、引掛爪がカバーの内壁からケース方向に略直方体状に突出する突出部を備え、突出部の内壁側の角部がコーナー部となると共に、ケースの内側の角部を切り欠いた案内面を有し、コーナー部及び案内面を係合爪に設けられた溝部に沿わせつつ、突出部を係合爪に挿抜する構成を有している。
この構成により、落下などでカバーに強い衝撃が加わった際に、突出部が溝部に当接してカバーの外れを防止し、カバーを閉じる際には案内面があることから、引掛爪がケースの開口部端面に当接して削れることを軽減することができる。
【００１４】
さらに、本発明の携帯情報端末装置は、表示部を含む表示部側ケースと、操作部を含む操作部側ケースと、表示部側ケースを操作部側ケースに対して扇動・回転自在に連結する回転軸とを備え、表示器側ケースを操作部側ケースの正面側に配設すると共に、カバーを操作部側ケースの背面側に配設する構成を有している。
この構成により、表示部を見ながら開口部への情報記録媒体の挿入、取り出しを行うことができる。
【００１５】
【発明の実施の形態】
以下、本発明の実施の形態が、メモリーカード等の着脱可能な情報記録媒体の通過する通過口を覆う開閉可能なカバーとして、携帯情報端末装置に適用された場合について、図面を用いて説明する。
【００１６】
図１は、本実施の形態における携帯情報端末装置を示す斜視図であり、携帯情報端末１は、表示部５を含む表示部側ケース４と、操作部（図示せず）を含む操作部側ケース３と、表示部側ケース４を操作部側ケース３に対して扇動・回転自在に連結する回転軸６とを備えている。また、表示器側ケース４を操作部側ケース３の正面側に回転軸６を介して配設すると共に、操作部側ケース３の背面側の上部稜部に情報記録媒体８を挿入するための開口部３ａを設けている。操作部側ケース３には、開口部３ａを覆うとともに開閉可能に保持されたカバー２０と、カバー２０の内側に設けられた引掛爪１６と、引掛爪１６と係合してカバー２０を閉状態に維持する係合爪１２と、操作部側ケース３に対してカバー２０を開閉可能に保持するヒンジ１５と、操作部側ケース３の内部に収納する情報記録媒体８を保持するホルダー９（図５参照）とを備えている。尚、操作部側ケース３（以下、「ケース」という。）、カバー２０及び表示部側ケース４は、合成樹脂や金属で作られている。また、情報記録媒体８とは、電話番号情報、画像情報、音声情報、文字情報等の電子情報をを記録する媒体であり、例えばメモリカード等である。
【００１７】
図２ないし図４において、ヒンジ１５は、ケース３やカバー２０よりも弾性（弾力性）を有するエラストマからなる略長方形の板材であり、長手方向の一端がカバー２０の内側に保持されると共に、他端がケース３の開口部３ａの内側に摺動可能に保持されている。ヒンジ１５は、ケース３側の先端が略矢形であり、この矢形部１５ａに三角形状で頂点を互いに向けあう２つのスリット１５ｂを備え、カバー２０側の先端には、略直方体状の突起である固定爪１５ｃ，１５ｄが並行に設けられている。尚、エラストマとは、高温で可塑化され成形される高分子材料で、常温で弾性（弾力性）を示し、高摩擦抵抗を有し、耐熱性、絶縁性に優れているものである。
【００１８】
そして、ヒンジ１５は、ヒンジ１５に設けられた固定爪１５ｃ，１５ｄとカバー２０のケース３と対向する側面に設けられた保持リブ２２（挿嵌穴２２ａ）との係合によって、カバー３に固定されている。また、ヒンジ１５は、矢形部１５ａとケース３の開口部３ａ内側に設けられた係合リブ１３（ヒンジ１５が挿嵌される部分は、門状で挿嵌穴１３ａを有する。）との係合によって、ケース３と摺動自在に挿嵌・係止されている。ヒンジ１５をカバー２０に組み込む際に、スリット１５ｂが矢形部１５ａの変形する凹み代となることで、ヒンジ１５の取り付けが行い易くなる。尚、本実施の形態におけるヒンジ１５は、一端のみが矢形状になっているが、両端を矢形状にしてもよい。また、係合リブ１３の挿嵌穴１３ａ部分が門状となっているが、係合リブ１３のみで門状となる必要はなく、係合リブ１３に他の部材が当接することにより結果として門状となり挿嵌穴１３ａが形成される構造であってもよい。
【００１９】
引掛爪１６は、ケース３やカバー２０よりも弾性（弾力性）を有するエラストマからなる凹状体である。引掛爪１６は、カバー２０の揺動外周の内側に設けられた門状の保持リブ２１に挿嵌・係止される。そして、引掛爪１６の一端が直方体状の突出部１６ａとして、カバー２０から開口部３ａ側に突出している。この突出部１６ａのカバー２０の内壁側の角部がコーナー部１６ｃとなると共に、ケース２０の内側の角部を切り欠いて案内面１６ｂとしている。また、引掛爪１６に対向するケース３の開口部３ａの内側には、引掛爪１６を係合する係合溝１２ａを有する係合爪１２を備えている。
【００２０】
また、ケース３の開口部３ａの両脇からは、図３に示すように縦長に伸びる直方体状の突起であるストッパー受け１１が突出している。ストッパー受け１１は、下端部に凹部１１ａを備え、後述するカバー２０に設けられたストッパー２３と当接する。
【００２１】
以上のように構成されたカバー２０について、その動作を説明する。
図４（ａ）は、ケース３とカバー２０が係合した状態を示し、図４（ａ）の状態からカバー２０をケース３から遠ざける方向に引っ張った状態を示す。図４（ａ）のカバー２０が開口部３ａを完全に塞いだ状態で、カバー２０を引き上げると（図４の上方向）、ヒンジ１５が係合リブ１３の挿嵌穴１３ａ内を摺動しつつ、カバー２０が開口部３ａから離れる。そして、ヒンジ１５の矢形部１５ａが係合リブ１３に当接して摺動が止まる。このように、カバー２０を開こうとしたときヒンジ１５が摺動して、カバー２０を開口部３ａから引き離した状態で開口部３ａを開放することができるようになることから、情報記録媒体８の挿入または取り出しを行い易くすることができる。
【００２２】
図５に示すように、カバー２０を開ける場合には、図５（ａ）の状態において、カバー２０の引掛爪１６が設けられた側面をケース３の内部方向に押すことにより、引掛爪１６がたわみ、係合爪１２と引掛爪１６との係合が外れ、図５（ｂ）のごとく引掛爪１６がケース３から持ち上がる。図５（ｂ）の状態から、カバー２０をヒンジ１５の摺動可能方向に引っ張ることにより、カバー２０がケース３の開口部３ａから離れる。エラストマからなるヒンジ１５を伸ばした状態で、図５（ｃ）のごとくケース３の開口部３ａとは反対の方向に曲げることにより、カバー２０を１８０°開状態にすることができ、情報記録媒体８を挿入または取り出しする際にカバー２０が妨げになることはなく、情報記録媒体８の挿入または取り出しを行い易くすることができる。
【００２３】
また、カバー２０を閉じる場合には、情報記録媒体８を挿入または取り出した後、図５（ｃ）のごとくカバー２０がケース３の開口部３ａとは反対の方向に開けられた状態からカバー２０を保持している手を離すと、曲げられて保持されていたヒンジ１５の弾性力により、カバー２０はケース３の開口部３ａを覆う位置に移動する。図５（ｂ）の状態から、カバー２０の引掛爪１６の設けられた側面をケース３の内部方向に押すことにより、カバー２０を閉じる方向に移動させ、エラストマからなる引掛爪１６と係合爪１２を係合することができ、図５（ａ）のごとくカバー２０を閉状態にすることができる。
【００２４】
ケース３とカバー２０の開閉回数を増やした場合、引掛爪１６は弾性（弾力性）を有するエラストマからなるため、引掛爪１６が折れたり削れたりすることはほとんどなく、カバー２０の開閉寿命を増やすことができる。また、引掛爪１６及びヒンジ１５が破損した場合でも、引掛爪１６及びヒンジ１５はカバー２０と別部品で構成されて、引掛爪１６及びヒンジ１５は、ケース３又はカバー２０に係合されているだけのため、カバー２０を交換することなく容易に着脱・交換することができ、専門の修理部門に持ち込む必要もなく、修理に要する時間とコストを削減できる。
【００２５】
また、図５（ｃ）のごとくカバー２０を開状態にして落下などの強い衝撃を加えた場合にも、ヒンジ１５が弾性（弾力性）を有するエラストマからなるため、落下などの強い衝撃によりヒンジ１５が破損することはなく、耐衝撃性に優れたカバー２０を提供することができる。尚、本実施の形態では、より好ましい形態として、ヒンジ１５及び引掛爪１６の両方がエラストマである場合について説明したが、いずれか一方の材質がエラストマ以外であっても構わない。
【００２６】
さらに、ケース３には、ケース３とカバー２０が閉状態の時、カバー２０に設けられたストッパー２３と向かい合う、ストッパー受け１１が設けられている。このため、カバー２０が閉状態で落下などの強い衝撃を受けた場合でも、カバー２０がヒンジ１５の移動方向に動くことはないため、落下などの強い衝撃を受けた場合でもカバー２０が開いてしまうことはなく、落下などの衝撃に強いカバー２０を提供することができる。
【００２７】
また、図６において、（ａ）はカバー２０を閉じる時または開ける時における引掛爪１６の係合の様子を示し、（ｂ）は引掛爪３１のケース２０と対向する側面にＲ部３１ｃを設け、引掛爪３１の係合爪１２と係合する側面にコーナー部３１ｂを設けた引掛爪３１の係合の様子を示している。カバー２０を閉じる時、（ａ）では案内面１６ｂを有するため引掛爪１６の端面とケース３の端面との当接が軽減されているが、（ｂ）では引掛爪３１のコーナー部３１ｂとケース３の端面が当接しているため、引掛爪３１が破損してしまう。
【００２８】
また、カバー２０を開ける時、（ｃ）では引掛爪１６の側面に設けられたコーナー部１６ｃがケース３の側面（係合溝１２ａ）と当接するため、落下などの強い衝撃を受けた際にカバー２０が開くことはないが、（ｄ）では引掛爪３１の側面にＲ部３１ｃが設けられているため、落下などの強い衝撃を受けた際にカバー２０が開いてしまう。このような、引掛爪１６の突出部１６ａの構造により、人の手により容易に開閉することができ、落下などの強い衝撃を受けても開かないカバーを提供することができる。
【００２９】
尚、図１に示すように、携帯情報端末装置１は、表示部側ケース４を操作部側ケース３に対して扇動・回転自在に連結する回転軸１０とを備え、表示器側ケース４を操作部側ケース３の正面側に配設すると共に、カバー２０を操作部側ケース３の背面側に配設している。このため、表示部５を見ながら情報記録媒体８の挿入、取り出しを行うことができ、操作性を向上させることができる。
【００３０】
【発明の効果】
以上のように本発明は、引掛爪に弾性を有するエラストマを使用することにより、引掛爪の係合爪との係合部分が削れることはないため開閉寿命を長くすることができ、落下などの強い衝撃に耐えることができ、引掛爪が破損した場合でも容易にかつ低コストで修理することができる効果を有する携帯情報端末装置を提供することができるものである。
【図面の簡単な説明】
【図１】本発明の実施の形態における携帯情報端末装置を示す斜視図
【図２】同携帯情報端末装置のカバー及びヒンジを示す斜視図
【図３】同携帯情報端末装置の開口部付近の正面図及び斜視図
【図４】同携帯情報端末装置のヒンジの動作を示す説明図
【図５】同携帯情報端末装置のカバーの開閉の様子を示す説明図
【図６】同携帯情報端末装置の引掛爪の動作を示す説明図
【図７】従来のカバーを有する携帯情報端末装置の構成を示す要部断面図
【符号の説明】
１  携帯情報端末装置
３  操作部側ケース
３ａ  開口部
４  表示部側ケース
５  表示部
６  回転軸
８  情報記録媒体
１１  ストッパー受け
１２  係合爪
１５  ヒンジ
１５ａ  矢形部
１５ｂ  スリット
１６  引掛爪
１６ａ  突出部
１６ｂ  案内面
１６ｃ  コーナー部
２０  カバー
２１  保持リブ
２２  保持リブ
２３  ストッパー
【図１】
2004171399.tif 000003
【図２】
2004171399.tif 000004
【図３】
2004171399.tif 000005
【図４】
2004171399.tif 000006
【図５】
2004171399.tif 000007
【図６】
2004171399.tif 000008
【図７】
2004171399.tif 000009